【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
第１クラッド層と、
前記第１クラッド層の上に形成され、光経路の端側に開口部が設けられたコア層と、
基板部と、前記基板部の中央部に設けられ、光路変換傾斜面と前記光路変換傾斜面と交差する垂直な側壁面とを備えた横置き三角柱形状の突出部と
を備えた不透明な樹脂から形成された樹脂立体部と、
前記突出部の光路変換傾斜面及び側壁面と前記基板部の表面とを被覆し、光路変換ミラーとなる金属層と、
を有し、
前記コア層の前記開口部に前記光路変換傾斜面が前記光経路側を向いて固定された光路変換部品であって、
前記光路変換部品の基板部の表面に形成された前記金属層が前記コア層の上面に接すると共に、前記光路変換部品の突出部の側壁面に形成された前記金属層が前記コア層の開口部の側壁と接して配置された前記光路変換部品と、
前記第１クラッド層、前記コア層及び前記光路変換部品の基板部を被覆する第２クラッド層と
を有し、
前記コア層を伝播する光は前記光路変換ミラーにより前記第１クラッド層側に光路変換されることを特徴する光導波路。
【請求項２】
前記光路変換部品の突出部は、前記第１クラッド層と同一樹脂又は屈折率が同一の樹脂からなる接着剤によって前記コア層の開口部に接着されていることを特徴とする請求項１に記載の光導波路。
【請求項３】
請求項１又は２の光導波路と、
前記光導波路の前記第２クラッド層側に配置された配線基板と、
前記配線基板に実装され、前記光導波路の一端側の前記光路変換ミラーに光結合される発光素子と、
前記配線基板に実装され、前記光導波路の他端側の前記光路変換ミラーに光結合される受光素子とを有することを特徴とする光導波路装置。
【請求項４】
前記光導波路の前記第２クラッド層は接着剤として機能し、前記光導波路は前記第２クラッド層によって前記配線基板に接着されていることを特徴とする請求項３に記載の光導波路装置。
【請求項５】
基板部とその中央部に突出して光路変換傾斜面を備える突出部とを備えた樹脂立体部と、前記突出部を被覆する金属層とを有し、前記光路変換傾斜面の前記金属層が光路変換ミラーとなる光路変換部品であって、
前記光路変換部品の突出部は、前記光路変換傾斜面と側壁面とが交差した横置き三角柱形状からなり、前記金属層は、前記突出部の光路変換傾斜面及び側壁面と、前記基板部の表面とに設けられており、前記側壁面は垂直面となっており、前記樹脂立体部は不透明な樹脂から形成されることを含む前記光路変換部品と、
第１クラッド層の上にコア層が形成され、前記コア層の光経路の端側に開口部が設けられた構造体と
を用意する工程と、
前記樹脂立体部の基板部の上に形成された前記金属層が前記コア層の上面に接し、かつ、前記突出部の側壁面が前記コア層の開口部の側壁と接するように、前記コア層の開口部に、前記光路変換部品の前記光路変換傾斜面を前記光経路側に向けて前記光路変換部品の前記突出部を固定することにより、前記コア層の前記開口部に前記光路変換ミラーを配置する工程と、
前記第１クラッド層、前記コア層及び前記樹脂立体部の基板部を被覆する第２クラッド層を形成する工程とを有し、
前記コア層を伝播する光は前記光路変換ミラーにより前記第１クラッド層側に光路変換されることを特徴とする光導波路の製造方法。
【請求項６】
前記光路変換部品を用意する工程は、
樹脂を一体成形することにより、基板の上に複数の前記突出部が並んで形成された樹脂立体部材を作成する工程と、
前記樹脂立体部材の前記突出部側の面に前記金属層を形成する工程と、
前記突出部の間の領域で前記金属層から前記基板まで切断することにより前記光路変換部品を得る工程とを含むことを特徴とする請求項５に記載の光導波路の製造方法。
【請求項７】
前記光路変換部品の突出部を固定する工程において、
少なくとも前記コア層の開口部に、前記第１クラッド層と同一樹脂又は屈折率が同一の樹脂からなる接着剤を形成し、前記光路変換部品の前記突出部を前記接着剤に押し込んで接着することを特徴とする請求項５又は６に記載の光導波路の製造方法。
【手続補正２】
【補正対象書類名】明細書
【補正対象項目名】０００９
【補正方法】変更
【補正の内容】
【０００９】
以下の開示の一観点によれば、第１クラッド層と、前記第１クラッド層の上に形成され、光経路の端側に開口部が設けられたコア層と、基板部と、前記基板部の中央部に設けられ、光路変換傾斜面と前記光路変換傾斜面と交差する垂直な側壁面とを備えた横置き三角柱形状の突出部とを備えた不透明な樹脂から形成された樹脂立体部と、前記突出部の光路変換傾斜面及び側壁面と前記基板部の表面とを被覆し、光路変換ミラーとなる金属層と、を有し、前記コア層の前記開口部に前記光路変換傾斜面が前記光経路側を向いて固定された光路変換部品であって、前記光路変換部品の基板部の表面に形成された前記金属層が前記コア層の上面に接すると共に、前記光路変換部品の突出部の側壁面に形成された前記金属層が前記コア層の開口部の側壁と接して配置された前記光路変換部品と、前記第１クラッド層、前記コア層及び前記光路変換部品の基板部を被覆する第２クラッド層とを有し、前記コア層を伝播する光は前記光路変換ミラーにより前記第１クラッド層側に光路変換される光導波路が提供される。
【手続補正３】
【補正対象書類名】明細書
【補正対象項目名】００１０
【補正方法】変更
【補正の内容】
【００１０】
また、その開示の他の観点によれば、基板部とその中央部に突出して光路変換傾斜面を備える突出部とを備えた樹脂立体部と、前記突出部を被覆する金属層とを有し、前記光路変換傾斜面の前記金属層が光路変換ミラーとなる光路変換部品であって、前記光路変換部品の突出部は、前記光路変換傾斜面と側壁面とが交差した横置き三角柱形状からなり、前記金属層は、前記突出部の光路変換傾斜面及び側壁面と、前記基板部の表面とに設けられており、前記側壁面は垂直面となっており、前記樹脂立体部は不透明な樹脂から形成されることを含む前記光路変換部品と、第１クラッド層の上にコア層が形成され、前記コア層の光経路の端側に開口部が設けられた構造体とを用意する工程と、前記樹脂立体部の基板部の上に形成された前記金属層が前記コア層の上面に接し、かつ、前記突出部の側壁面が前記コア層の開口部の側壁と接するように、前記コア層の開口部に、前記光路変換部品の前記光路変換傾斜面を前記光経路側に向けて前記光路変換部品の前記突出部を固定することにより、前記コア層の前記開口部に前記光路変換ミラーを配置する工程と、前記第１クラッド層、前記コア層及び前記樹脂立体部の基板部を被覆する第２クラッド層を形成する工程とを有し、前記コア層を伝播する光は前記光路変換ミラーにより前記第１クラッド層側に光路変換される光導波路の製造方法が提供される。
【手続補正４】
【補正対象書類名】明細書
【補正対象項目名】００３３
【補正方法】変更
【補正の内容】
【００３３】
本実施形態の光路変換部品５では、金属層３０の外面側が光路変換ミラーＭとなるため、樹脂立体部２０ａ（基板部２２ａ及び突出部２４）の内部は光路にならない。従って、樹脂立体部２０ａ（基板部２２ａ及び突出部２４）は、コア層５２やクラッド層５０，５４と同一な透明樹脂を使用するなどの光学特性を考慮する必要はなく、不透明な樹脂などの各種の樹脂材を使用することができる。
【手続補正５】
【補正対象書類名】明細書
【補正対象項目名】００６８
【補正方法】変更
【補正の内容】
【００６８】
前述した図４の光路変換部品５ａを使用する場合は、コア層５２の開口部５２ａのみに光路変換部品５の突出部２４が配置されて光路変換ミラーＭとなる。